(57)【要約】【課題】本発明は水晶玉穴開け装置を開示した。【解決手段】穴開け機を含み、前記穴開け機の中には右に開口した作業チャンバが設置され、前記穴開け機の中には駆動装置が設置され、前記駆動装置の上端には穴開け装置が連結され、前記駆動装置の下端には固定装置が連結され、本発明は構造が簡単で、操作が便利であり、水晶玉に対し完全に穴を開けられることだけではなく、穴が水晶玉を貫通することを保証し、また快速に穴と紐とを位置合わせることができ、穴開けの効率を高め、穴開けした後の屑を回収しリサイクルできる。【選択図】図１
2020172098.tif 000002
【特許請求の範囲】
【請求項１】
穴開け機を含み、前記穴開け機の中には右に開口した作業チャンバが設置され、前記穴開け機の中には駆動装置が設置され、前記駆動装置の上端には穴開け装置が連結され、前記駆動装置の下端には固定装置が連結され、前記固定装置は前記穴開け機の中に設置される下連結チャンバを含み、前記下連結チャンバの中には下メインプーリーが回転できるように設置され、前記下メインプーリーの中には上に開口した下噛合溝が設置され、前記下メインプーリーの中にはプッシュブロックがスライドできるように設置され、前記プッシュブロックが前記下噛合溝と噛合でき、前記下メインプーリーの右側には下サブプーリーが回転できるように設置され、前記下サブプーリーと前記下メインプーリーとの間には下連結ベルトが連結され、前記下サブプーリーの中には下ねじボルトが固定的に連結され、前記下連結チャンバの上側内壁の中には取り付けブロックチャンバが設置され、前記取り付けブロックチャンバの中には取り付けブロックがスライドできるように設置され、前記下ねじボルトの上端が前記取り付けブロックにネジ山により連結され、前記取り付けブロックチャンバの上側内壁の中には斜め溝が連通するように設置され、前記斜め溝の上端が前記作業チャンバに連通しており、前記取り付けブロックの中には四つのばねチャンバが環状に排列するように分布され、前記ばねチャンバが上に開口しており、且つ対称中心から離れており、前記ばねチャンバの中には固定ブロックがスライドできるように設置され、前記固定ブロックにおいて中心に近接している一端と前記ばねチャンバにおいて中心に近接している側の内壁との間には固定ばねが固定的に連結され、前記固定ブロックにおいて中心から離れている一端が前記斜め溝の内壁に当接しており、左右両側の前記固定ブロックにおいて中心に近接している一端には位置制限ブロックが固定的に連結され、両側の前記位置制限ブロックの間には赤外線が照射され、前記固定ブロックの上端には水晶玉が当接しており、
前記下メインプーリーが前記駆動装置に連結されるとき、前記駆動装置がベルト伝動により前記下ねじボルトを駆動し前記水晶玉を降下連動させることを特徴とする水晶玉穴開け装置。
【請求項２】
前記駆動装置は前記穴開け機の中に設置される上連結チャンバを含み、前記上連結チャンバの中には上メインプーリーが回転できるように設置され、前記上メインプーリーの中にはロング軸が固定的に連結され、前記上連結チャンバの上側内壁の中には転換モータが固定的に設置され、前記ロング軸が前記転換モータに伝動できるように連結され、前記上メインプーリーの右側には上サブプーリーが回転できるように設置され、前記上メインプーリーと前記上サブプーリーとの間には上連結ベルトが連結され、前記上サブプーリーの中には連結軸が固定的に連結され、前記連結軸の下端には前記作業チャンバの中で回転できる回転ブロックが固定的に連結され、前記上連結チャンバの下側内壁の中にはロング軸チャンバが連通するように設置され、前記ロング軸チャンバの下端が前記下連結チャンバに連通しており、前記プッシュブロックの中には上に開口した上噛合溝が設置され、前記ロング軸の下端が前記上噛合溝に噛合し連結され、前記下連結チャンバの上側内壁の中には前記ロング軸チャンバに連通している歯車チャンバが設置され、前記歯車チャンバの中には大歯車が回転できるように設置され、前記大歯車が前記ロング軸に固定的に連結され、前記大歯車の右端には小歯車が噛合し設置され、前記小歯車の中にはファン軸が固定的に連結され、前記歯車チャンバの上側内壁の中には屑チャンバが設置され、前記屑チャンバにはファンが回転できるように設置され、前記ファンが前記ファン軸に固定的に連結され、前記屑チャンバの上側内壁の中にはＬ型吸い管が固定的に設置され、前記Ｌ型吸い管の上端が前記水晶玉に正対しており、前記Ｌ型吸い管の中には通路が貫通し設置され、
前記転換モータを始動し、ベルト伝動と歯車伝動とを駆動し、前記ファンを回転連動させて屑を前記屑チャンバの中に吸うことを特徴とする請求項１に記載の水晶玉穴開け装置。
【請求項３】
前記穴開け装置は前記回転ブロックの中に設置される中間プーリーチャンバを含み、前記中間プーリーチャンバの中には中間プーリーが回転できるように設置され、前記中間プーリーの中には上ねじボルトが固定的に連結され、前記中間プーリーチャンバの上側内壁の中には動力モータが固定的に設置され、前記動力モータが前記位置制限ブロックに電気的に接続され、前記上ねじボルトが前記動力モータに伝動できるように連結され、前記中間プーリーの右側には従動プーリーが回転できるように設置され、前記中間プーリーと前記従動プーリーとの間には中間同期ベルトが連結され、前記従動プーリーの中には穿孔ビットロッドがスライドできるように噛合し連結され、前記中間プーリーチャンバの下側内壁の中には連結板チャンバが設置され、前記連結板チャンバの中には連結板がスライドできるように設置され、前記連結板が前記上ねじボルトにネジ山により連結され、前記穿孔ビットロッドが前記連結板に回転できるように連結され、前記穿孔ビットロッドが前記水晶玉に正対しており、前記連結板の中には下に開口した伸縮チャンバが設置され、前記伸縮チャンバの中にはガイドロッドが左右に対称的にスライドできるように設置され、前記ガイドロッドの間には伸縮ばねが固定的に連結され、前記作業チャンバの左側内壁の中には収納チャンバが連通するように設置され、前記収納チャンバが前に開口しており、前記収納チャンバの左右内壁の間にはショート軸が回転できるように連結され、前記ショート軸には穴つなぎロッドが固定的に連結され、前記穴つなぎロッドの中には上に開口した連結溝が設置され、
前記動力モータを始動し、前記上ねじボルトを駆動し回転させ、それにより前記連結板により前記穿孔ビットロッドを下にスライド連動させ、同時に前記上ねじボルトがベルト伝動を駆動して前記穿孔ビットロッドを回転連動させ、それにより前記水晶玉に対し穴を開けることを特徴とする請求項１又は請求項２に記載の水晶玉穴開け装置。
【発明の詳細な説明】
【技術分野】
【０００１】
本発明は水晶分野を取り上げて、具体的には水晶玉穴開け装置である。
【背景技術】
【０００２】
水晶玉を水晶アクセサリーに加工するとき、通常には、水晶玉に対し穴を開け、紐で水晶玉の穴を貫通しアクセサリーを作り、人工で水晶玉に対し穴を開けるとき、穴と紐とを位置合わせることに多くの時間がかかるだけではなく、穴を開けられた後の水晶玉の温度が高く、直接に触ることも不便であり、従って、それぞれ穴開けと、穴と紐との位置合わせを行う水晶玉穴開け装置を設計する必要があり、本装置は水晶玉に対し穴を完全に開け、穴が水晶玉を貫通できるだけではなく、快速に穴と紐とを位置合わせることもでき、穴開け効率を高め、穴を開けた後の屑を回収してリサイクルすることも可能である。
【先行技術文献】
【特許文献】
【０００３】
【特許文献１】中国特許出願公開第１０３４１９２８７号明細書
【発明の概要】
【発明が解決しようとする課題】
【０００４】
本発明の目的は水晶玉穴開け装置を提供し、それは上記の現在の技術中の問題を解決できる。
【課題を解決するための手段】
【０００５】
本発明は以下の技術プランを通じて実現する：本発明の水晶玉穴開け装置は、穴開け機を含み、前記穴開け機の中には右に開口した作業チャンバが設置され、前記穴開け機の中には駆動装置が設置され、前記駆動装置の上端には穴開け装置が連結され、前記駆動装置の下端には固定装置が連結され、前記固定装置は前記穴開け機の中に設置される下連結チャンバを含み、前記下連結チャンバの中には下メインプーリーが回転できるように設置され、前記下メインプーリーの中には上に開口した下噛合溝が設置され、前記下メインプーリーの中にはプッシュブロックがスライドできるように設置され、前記プッシュブロックが前記下噛合溝と噛合でき、前記下メインプーリーの右側には下サブプーリーが回転できるように設置され、前記下サブプーリーと前記下メインプーリーとの間には下連結ベルトが連結され、前記下サブプーリーの中には下ねじボルトが固定的に連結され、前記下連結チャンバの上側内壁の中には取り付けブロックチャンバが設置され、前記取り付けブロックチャンバの中には取り付けブロックがスライドできるように設置され、前記下ねじボルトの上端が前記取り付けブロックにネジ山により連結され、前記取り付けブロックチャンバの上側内壁の中には斜め溝が連通するように設置され、前記斜め溝の上端が前記作業チャンバに連通しており、前記取り付けブロックの中には四つのばねチャンバが環状に排列するように分布され、前記ばねチャンバが上に開口しており、且つ対称中心から離れており、前記ばねチャンバの中には固定ブロックがスライドできるように設置され、前記固定ブロックにおいて中心に近接している一端と前記ばねチャンバにおいて中心に近接している側の内壁との間には固定ばねが固定的に連結され、前記固定ブロックにおいて中心から離れている一端が前記斜め溝の内壁に当接しており、左右両側の前記固定ブロックにおいて中心に近接している一端には位置制限ブロックが固定的に連結され、両側の前記位置制限ブロックの間には赤外線が照射され、前記固定ブロックの上端には水晶玉が当接しており、
前記下メインプーリーが前記駆動装置に連結されるとき、前記駆動装置がベルト伝動により前記下ねじボルトを駆動し前記水晶玉を降下連動させる。
【０００６】
さらなる技術プラン、前記駆動装置は前記穴開け機の中に設置される上連結チャンバを含み、前記上連結チャンバの中には上メインプーリーが回転できるように設置され、前記上メインプーリーの中にはロング軸が固定的に連結され、前記上連結チャンバの上側内壁の中には転換モータが固定的に設置され、前記ロング軸が前記転換モータに伝動できるように連結され、前記上メインプーリーの右側には上サブプーリーが回転できるように設置され、前記上メインプーリーと前記上サブプーリーとの間には上連結ベルトが連結され、前記上サブプーリーの中には連結軸が固定的に連結され、前記連結軸の下端には前記作業チャンバの中で回転できる回転ブロックが固定的に連結され、前記上連結チャンバの下側内壁の中にはロング軸チャンバが連通するように設置され、前記ロング軸チャンバの下端が前記下連結チャンバに連通しており、前記プッシュブロックの中には上に開口した上噛合溝が設置され、前記ロング軸の下端が前記上噛合溝に噛合し連結され、前記下連結チャンバの上側内壁の中には前記ロング軸チャンバに連通している歯車チャンバが設置され、前記歯車チャンバの中には大歯車が回転できるように設置され、前記大歯車が前記ロング軸に固定的に連結され、前記大歯車の右端には小歯車が噛合し設置され、前記小歯車の中にはファン軸が固定的に連結され、前記歯車チャンバの上側内壁の中には屑チャンバが設置され、前記屑チャンバにはファンが回転できるように設置され、前記ファンが前記ファン軸に固定的に連結され、前記屑チャンバの上側内壁の中にはＬ型吸い管が固定的に設置され、前記Ｌ型吸い管の上端が前記水晶玉に正対しており、前記Ｌ型吸い管の中には通路が貫通し設置され、
前記転換モータを始動し、ベルト伝動と歯車伝動とを駆動し、前記ファンを回転連動させて屑を前記屑チャンバの中に吸う。
【０００７】
さらなる技術プラン、前記穴開け装置は前記回転ブロックの中に設置される中間プーリーチャンバを含み、前記中間プーリーチャンバの中には中間プーリーが回転できるように設置され、前記中間プーリーの中には上ねじボルトが固定的に連結され、前記中間プーリーチャンバの上側内壁の中には動力モータが固定的に設置され、前記動力モータが前記位置制限ブロックに電気的に接続され、前記上ねじボルトが前記動力モータに伝動できるように連結され、前記中間プーリーの右側には従動プーリーが回転できるように設置され、前記中間プーリーと前記従動プーリーとの間には中間同期ベルトが連結され、前記従動プーリーの中には穿孔ビットロッドがスライドできるように噛合し連結され、前記中間プーリーチャンバの下側内壁の中には連結板チャンバが設置され、前記連結板チャンバの中には連結板がスライドできるように設置され、前記連結板が前記上ねじボルトにネジ山により連結され、前記穿孔ビットロッドが前記連結板に回転できるように連結され、前記穿孔ビットロッドが前記水晶玉に正対しており、前記連結板の中には下に開口した伸縮チャンバが設置され、前記伸縮チャンバの中にはガイドロッドが左右に対称的にスライドできるように設置され、前記ガイドロッドの間には伸縮ばねが固定的に連結され、前記作業チャンバの左側内壁の中には収納チャンバが連通するように設置され、前記収納チャンバが前に開口しており、前記収納チャンバの左右内壁の間にはショート軸が回転できるように連結され、前記ショート軸には穴つなぎロッドが固定的に連結され、前記穴つなぎロッドの中には上に開口した連結溝が設置され、
前記動力モータを始動し、前記上ねじボルトを駆動し回転させ、それにより前記連結板により前記穿孔ビットロッドを下にスライド連動させ、同時に前記上ねじボルトがベルト伝動を駆動して前記穿孔ビットロッドを回転連動させ、それにより前記水晶玉に対し穴を開ける。
【発明の効果】
【０００８】
本発明の有益的な効果は：本発明は構造が簡単で、操作が便利であり、水晶玉に対し完全に穴を開けられることだけではなく、穴が水晶玉を貫通することを保証し、また快速に穴と紐とを位置合わせることができ、穴開けの効率を高め、穴開けした後の屑を回収しリサイクルできる。
【図面の簡単な説明】
【０００９】
【図１】図１は本発明の水晶玉穴開け装置の内部構造概略図
【図２】図２は図１のＡの拡大概略図
【図３】図３は図１のＢの拡大概略図
【発明を実施するための形態】
【００１０】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−３を参照し、本発明の水晶玉穴開け装置は、穴開け機１１を含み、前記穴開け機１１の中には右に開口した作業チャンバ１９が設置され、前記穴開け機１１の中には駆動装置１０１が設置され、前記駆動装置１０１の上端には穴開け装置１０２が連結され、前記駆動装置１０１の下端には固定装置１００が連結され、前記固定装置１００は前記穴開け機１１の中に設置される下連結チャンバ３０を含み、前記下連結チャンバ３０の中には下メインプーリー３５が回転できるように設置され、前記下メインプーリー３５の中には上に開口した下噛合溝６２が設置され、前記下メインプーリー３５の中にはプッシュブロック３４がスライドできるように設置され、前記プッシュブロック３４が前記下噛合溝６２と噛合でき、前記下メインプーリー３５の右側には下サブプーリー２８が回転できるように設置され、前記下サブプーリー２８と前記下メインプーリー３５との間には下連結ベルト３３が連結され、前記下サブプーリー２８の中には下ねじボルト２９が固定的に連結され、前記下連結チャンバ３０の上側内壁の中には取り付けブロックチャンバ２７が設置され、前記取り付けブロックチャンバ２７の中には取り付けブロック２６がスライドできるように設置され、前記下ねじボルト２９の上端が前記取り付けブロック２６にネジ山により連結され、前記取り付けブロックチャンバ２７の上側内壁の中には斜め溝２２が連通するように設置され、前記斜め溝２２の上端が前記作業チャンバ１９に連通しており、前記取り付けブロック２６の中には四つのばねチャンバ４８が環状に排列するように分布され、前記ばねチャンバ４８が上に開口しており、且つ対称中心から離れており、前記ばねチャンバ４８の中には固定ブロック４６がスライドできるように設置され、前記固定ブロック４６において中心に近接している一端と前記ばねチャンバ４８において中心に近接している側の内壁との間には固定ばね４９が固定的に連結され、前記固定ブロック４６において中心から離れている一端が前記斜め溝２２の内壁に当接しており、左右両側の前記固定ブロック４６において中心に近接している一端には位置制限ブロック４７が固定的に連結され、両側の前記位置制限ブロック４７の間には赤外線が照射され、前記固定ブロック４６の上端には水晶玉４４が当接しており、
前記下メインプーリー３５が前記駆動装置１０１に連結されるとき、前記駆動装置１０１がベルト伝動により前記下ねじボルト２９を駆動し前記水晶玉４４を降下連動させる。
【００１２】
有益的には、前記駆動装置１０１は前記穴開け機１１の中に設置される上連結チャンバ１５を含み、前記上連結チャンバ１５の中には上メインプーリー１２が回転できるように設置され、前記上メインプーリー１２の中にはロング軸４２が固定的に連結され、前記上連結チャンバ１５の上側内壁の中には転換モータ１３が固定的に設置され、前記ロング軸４２が前記転換モータ１３に伝動できるように連結され、前記上メインプーリー１２の右側には上サブプーリー１６が回転できるように設置され、前記上メインプーリー１２と前記上サブプーリー１６との間には上連結ベルト１４が連結され、前記上サブプーリー１６の中には連結軸１７が固定的に連結され、前記連結軸１７の下端には前記作業チャンバ１９の中で回転できる回転ブロック１８が固定的に連結され、前記上連結チャンバ１５の下側内壁の中にはロング軸チャンバ４３が連通するように設置され、前記ロング軸チャンバ４３の下端が前記下連結チャンバ３０に連通しており、前記プッシュブロック３４の中には上に開口した上噛合溝６３が設置され、前記ロング軸４２の下端が前記上噛合溝６３に噛合し連結され、前記下連結チャンバ３０の上側内壁の中には前記ロング軸チャンバ４３に連通している歯車チャンバ４５が設置され、前記歯車チャンバ４５の中には大歯車３７が回転できるように設置され、前記大歯車３７が前記ロング軸４２に固定的に連結され、前記大歯車３７の右端には小歯車３２が噛合し設置され、前記小歯車３２の中にはファン軸３１が固定的に連結され、前記歯車チャンバ４５の上側内壁の中には屑チャンバ２３が設置され、前記屑チャンバ２３にはファン２５が回転できるように設置され、前記ファン２５が前記ファン軸３１に固定的に連結され、前記屑チャンバ２３の上側内壁の中にはＬ型吸い管２０が固定的に設置され、前記Ｌ型吸い管２０の上端が前記水晶玉４４に正対しており、前記Ｌ型吸い管２０の中には通路２１が貫通し設置され、
前記転換モータ１３を始動し、ベルト伝動と歯車伝動とを駆動し、前記ファン２５を回転連動させて屑を前記屑チャンバ２３の中に吸う。
【００１３】
有益的には、前記穴開け装置１０２は前記回転ブロック１８の中に設置される中間プーリーチャンバ５２を含み、前記中間プーリーチャンバ５２の中には中間プーリー５０が回転できるように設置され、前記中間プーリー５０の中には上ねじボルト６１が固定的に連結され、前記中間プーリーチャンバ５２の上側内壁の中には動力モータ５１が固定的に設置され、前記動力モータ５１が前記位置制限ブロック４７に電気的に接続され、前記上ねじボルト６１が前記動力モータ５１に伝動できるように連結され、前記中間プーリー５０の右側には従動プーリー５４が回転できるように設置され、前記中間プーリー５０と前記従動プーリー５４との間には中間同期ベルト５３が連結され、前記従動プーリー５４の中には穿孔ビットロッド５５がスライドできるように噛合し連結され、前記中間プーリーチャンバ５２の下側内壁の中には連結板チャンバ５７が設置され、前記連結板チャンバ５７の中には連結板５６がスライドできるように設置され、前記連結板５６が前記上ねじボルト６１にネジ山により連結され、前記穿孔ビットロッド５５が前記連結板５６に回転できるように連結され、前記穿孔ビットロッド５５が前記水晶玉４４に正対しており、前記連結板５６の中には下に開口した伸縮チャンバ５９が設置され、前記伸縮チャンバ５９の中にはガイドロッド５８が左右に対称的にスライドできるように設置され、前記ガイドロッド５８の間には伸縮ばね６０が固定的に連結され、前記作業チャンバ１９の左側内壁の中には収納チャンバ４１が連通するように設置され、前記収納チャンバ４１が前に開口しており、前記収納チャンバ４１の左右内壁の間にはショート軸３８が回転できるように連結され、前記ショート軸３８には穴つなぎロッド３９が固定的に連結され、前記穴つなぎロッド３９の中には上に開口した連結溝４０が設置され、
前記動力モータ５１を始動し、前記上ねじボルト６１を駆動し回転させ、それにより前記連結板５６により前記穿孔ビットロッド５５を下にスライド連動させ、同時に前記上ねじボルト６１がベルト伝動を駆動して前記穿孔ビットロッド５５を回転連動させ、それにより前記水晶玉４４に対し穴を開ける。
【００１４】
使用するとき、水晶玉４４を固定ブロック４６の間に置き、プッシュブロック３４を引き下メインプーリー３５に噛合させ、このときロング軸４２と下メインプーリー３５との間がプッシュブロック３４により連結され、転換モータ１３を始動しロング軸４２を駆動し回転させ、それによりベルト伝動により下ねじボルト２９を駆動し、それにより取り付けブロック２６と、固定ブロック４６と、水晶玉４４とを上にスライド連動させ、同時にベルト伝動が回転ブロック１８を駆動し回転させ、水晶玉４４の上端が回転ブロック１８に当接するときにプッシュブロック３４をプッシュし下メインプーリー３５をロング軸４２との連結から離脱させ、穿孔ビットロッド５５が水晶玉４４に正対すると転換モータ１３を止め、動力モータ５１を始動し、上ねじボルト６１を駆動し回転させ、それにより連結板５６により穿孔ビットロッド５５を下にスライド連動させ、同時に上ねじボルト６１がベルト伝動を駆動し、また穿孔ビットロッド５５を回転連動させ、それにより水晶玉４４に対し穴を開け、穿孔ビットロッド５５が水晶玉４４を貫通した後にまた位置制限ブロック４７を貫通し、このとき動力モータ５１が反転し、それにより穿孔ビットロッド５５を上昇連動させ、穿孔ビットロッド５５が水晶穴から離脱した後に動力モータ５１を止め、プッシュブロック３４を引き転換モータ１３を始動し、それにより水晶玉４４を下にスライド連動させ、同時にガイドロッド５８が水晶穴に正対するまで回転ブロック１８を回転連動させ、このとき転換モータ１３を止め動力モータ５１を正方向に回転させ、それによりガイドロッド５８を下にスライド連動させ水晶穴を貫通させ、水晶穴を貫通する過程では、伸縮ばね６０を圧縮し、ガイドロッド５８の下端が位置制限ブロック４７を貫通するとき、伸縮ばね６０の弾力の作用により、両側のガイドロッド５８が互いに離れてスライドし、このとき動力モータ５１を反転させ、それによりガイドロッド５８を上にスライド連動させ、ガイドロッド５８の下端の突起部の間の最大距離が水晶穴の横断面より大きいため、このとき、水晶玉４４の上端が回転ブロック１８に当接するまで、ガイドロッド５８が水晶玉４４を上昇連動させて固定ブロック４６から離脱させ、動力モータ５１を止めて転換モータ１３を始動し、それにより水晶玉４４が穴つなぎロッド３９に正対するまで回転ブロック１８を回転連動させ、このとき転換モータ１３を止めて動力モータ５１を正方向に回転させ、それによりガイドロッド５８と水晶玉４４とを下にスライド連動させ、ガイドロッド５８の下端が連結溝４０の中に挿入され、連結溝４０の内壁の押圧により、両側のガイドロッド５８が互いに近づいてスライドし、ガイドロッド５８の下端の突起部の間の最大距離が水晶穴の横断面より小さいとき、水晶玉が重力の作用により穴つなぎロッド３９にスライドし、このとき穴つなぎロッド３９が水晶穴を貫通し、前に穴つなぎロッド３９を回転させて水晶玉を取り出すことができ、このとき動力モータ５１を反転させ、それによりガイドロッド５８を上昇連動させ、転換モータ１３が初めから終わりまで正方向に回転することしかできなく、転換モータ１３が始動するとき、ロング軸４２が歯車伝動を駆動しファン２５を回転連動させ、それにより穴開けした後の屑を屑チャンバ２３の中に吸う。
【００１５】
有益的な効果は：本発明は構造が簡単で、操作が便利であり、水晶玉に対し完全に穴を開けられることだけではなく、穴が水晶玉を貫通することを保証し、また快速に穴と紐とを位置合わせることができ、穴開けの効率を高め、穴開けした後の屑を回収しリサイクルできる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020172098.tif 000003
【図２】
2020172098.tif 000004
【図３】
2020172098.tif 000005